(57)【要約】【課題】空気と塵埃とを効率よく分離することができると共に、分離効率を向上させた電気掃除機を提供する。【解決手段】掃除機本体２０の吸気口５２から電動送風機３３の吸気開口３３Ａに至る風路中に、吸気口５２から空気と共に吸引される塵埃を分離する塵埃分離部６０と、この塵埃分離部６０によって分離された塵埃を集塵する集塵部５５とを備えた電気掃除機であって、塵埃分離部６０は、一端開口６２Ａが吸気口５２に連通すると共に他端開口６２Ｂが集塵部５５に連通した筒状の通路６１と、通路６１の周壁に設けられた開口６４とを有し、この開口６４にはメッシュ状のフィルタＦ２を設けた。【選択図】  図３
2004147964.tif 000002
【特許請求の範囲】
【請求項１】
掃除機本体の吸気口から電動送風機の吸気開口に至る風路中に前記吸気口から空気と共に吸引される塵埃を分離する塵埃分離部と、この塵埃分離部によって分離された塵埃を集塵する集塵部とを備えた電気掃除機であって、
前記塵埃分離部は、一端開口が前記吸気口に連通すると共に他端開口が前記集塵部に連通した筒状の通路と、該通路の周壁に設けられた開口とを有し、該開口にはメッシュ状のフィルタが設けられたことを特徴とする電気掃除機。
【請求項２】
請求項１に記載の電気掃除機において、前記フィルタのオープニングは、前記通路の上流側から下流側に向かうにつれて細かく形成したことを特徴とする電気掃除機。
【請求項３】
請求項２に記載の電気掃除機において、前記フィルタのオープニングは、１１０μｍから３０μｍの範囲で形成されていることを特徴とする電気掃除機。
【請求項４】
請求項１ないし請求項３のいずれかに記載の電気掃除機において、前記フィルタには摩擦抵抗を低減させる表面処理が施されたことを特徴とする電気掃除機。
【発明の詳細な説明】
【０００１】
【発明の属する技術分野】
この発明は、掃除機本体の吸気口から吸引された塵埃を分離する塵埃分離部と塵埃を集塵する集塵部とを備えた電気掃除機に関するものである。
【０００２】
【従来の技術】
従来の電気掃除機として、図１１に示すサイクロン方式の電気掃除機が知られている（例えば特許文献１参照）。
【０００３】
かかる電気掃除機は、上部が開口されたダストカップ１と、このダストカップ１内を負圧にする電動送風機２等とを備えている。ダストカップ１の周壁１Ａには吸気口３が形成され、この吸気口３は塵埃を吸引する吸込口体４に吸気通路５を介して連通している。
【０００４】
そして、吸込口体４から吸引された塵埃は吸気通路５を介してダストカップ１の吸気口３からダストカップ１内に吸引される。このダストカップ１内では旋回流が発生して塵埃と空気とが分離され、空気のみがダストカップ１の上部開口から電動送風機２に吸引された後に外部へ排気される。
【０００５】
【特許文献１】
特開２００１−１０４２２３号公報（段落３８、４５、図１）
【０００６】
【発明が解決しようとする課題】
ところで、このような電気掃除機にあっては、上方に向かって吸気通路５内に吸引された空気は、吸気口３からダストカップ１内に入る際に旋回流となり、ダストカップ１の周壁１Ａに沿って回転しながら塵埃と分離され、この後空気のみが電動送風機２に吸引されていく。このように、塵埃と空気とはダストカップ１内で分離されるので、旋回流によってダストカップ１内に集積された塵埃が再び舞い上がってしまい、空気と塵埃とを効率良く分離することができず、分離効率が悪いという問題が生じていた。
【０００７】
この発明は、上記問題に鑑みてなされたものであり、空気と塵埃とを効率良く分離することができると共に、分離効率を向上させた電気掃除機を提供することを目的としている。
【０００８】
【課題を解決するための手段】
上記目的を達成するため、この発明に係る電気掃除機は、掃除機本体の吸気口から電動送風機の吸気開口に至る風路中に吸気口から空気と共に吸引される塵埃を分離する塵埃分離部と、この塵埃分離部によって分離された塵埃を集塵する集塵部とを備え、塵埃分離部は、一端開口が吸気口に連通すると共に他端開口が集塵部に連通した筒状の通路と、この通路の周壁に設けられた開口とを有し、この開口にはメッシュ状のフィルタが設けられたことを特徴としている。
【０００９】
【発明の実施の形態】
以下、この発明に係る電気掃除機の実施の形態を図面に基づいて説明する。
【００１０】
図１において、２０は掃除機本体であり、この掃除機本体２０にはホース２１の一端が着脱自在に接続され、その他端には手元操作管２２が設けられている。手元操作管２２には延長管２３が着脱自在に接続され、延長管２３の先端部には吸込口体２４が着脱自在に接続されている。手元操作管２２には操作部２２Ａが設けられており、この操作部２２Ａには図示しない操作スイッチが設けられている。
【００１１】
掃除機本体２０は、図２ないし図５に示すように、本体ケース３０と、本体ケース３０に着脱自在に載置される集塵容器（ダストカップ）５０と、後部が本体ケース３０にヒンジ結合されて上下方向に開閉可能となっている蓋体４０とを備えている。
【００１２】
本体ケース３０は、吸気開口３３Ａ及び排気口３３Ｂが設けられた電動送風機３３を内蔵していると共に、この電動送風機３３の前側の下部から前方へ突出した皿状の載置部３５を有する。この載置部３５には集塵容器５０が着脱自在に載置され、蓋体４０を閉じた際にこの蓋体４０と載置部３５とで集塵容器５０を挟持して固定するようになっている。
【００１３】
また、本体ケース３０の前面は開口され、この開口３４Ａには後述するフィルタ８０を押さえるための枠３４Ｂが放射状に設けられている（図５参照）。開口３４Ａは電動送風機３３の吸気開口３３Ａに対向すると共に連通している。
【００１４】
本体ケース３０の両側面には、前側の上部から後部側の下部に亘って膨出部３６が形成され、この膨出部３６の下部は後輪３７を回転自在に保持している。また膨出部３６と本体ケース３０の両側面の前側には複数の排気孔３８が形成されている。この排気孔３８は図示しない排気風路を介して電動送風機３３の排気口３３Ｂと連通しており、電動送風機３３の排気口３３Ｂから排気される空気は排気風路を介して排気孔３８から外へ排気されるようになっている。また、本体ケース３０には電動送風機３３の下側に図示しないバッテリーが内蔵されている。
【００１５】
蓋体４０は、平面視がほぼ楕円形に形成された天板４１を有し、この天板４１の周囲に周壁４２が一体に形成されている。周壁４２の前部には集塵ホース２１を着脱自在に接続する接続口４３を有する接続パイプ４４が設けられている。この接続パイプ４４は前後方向に延びており、その後端４５は開口している。
【００１６】
集塵容器５０は、図６ないし図８に示すように、後面（図６において右側）に開口５１を有し前面に吸気口５２を有する容器ケース体５３と、この容器ケース体５３の吸気口５２の下に一体形成された把手部５４とを有している。
【００１７】
容器ケース体５３は、下部に形成した集塵室部（集塵部）５５と、この集塵室５５の上に形成した負圧室部５６と、この負圧室部５６内に設けられた塵埃分離部６０と、この塵埃分離部６０で分離された塵埃を集塵室部５５へ案内する案内管７０とを有している。
【００１８】
集塵室部５５の底部には、底板５７が軸Ｊ回りに開閉可能に取り付けられており、この底板５７を開けることにより集塵室部５５内に蓄積される塵埃が捨てられるようになっている。集塵室部５５と負圧室部５６とを区画する集塵室部５５の天板５８には開口５９が形成され、この開口５９には図８に示すようにネットフィルタＦ１が取り付けられている。天板５８の開口５９の後には接続穴５８Ａが形成されている。この接続穴５８Ａの下方には集塵室部５５内で旋回流を発生させるためのガイド壁Ｇが設けられている。
【００１９】
また、集塵室部５５の後壁部５５Ａは容器ケース体５３の開口５１より内側に引っ込んでおり、その開口５１内にフィルタ８０（図３参照）が着脱自在に装着されるようになっている。しかも、負圧室部５６はフィルタ８０を介して電動送風機３３の吸気開口３３Ａに連通させられている。
【００２０】
塵埃分離部６０は、筒状の風路（通路）６１を形成した筒状枠６２と、この筒状枠６２の他端開口６２Ｂに設けた突当て部６３とを有している。その筒状枠６２の一端開口６２Ａの径は容器ケース体５３の吸気口５２の径より大きく形成され、筒状枠６２の一端開口６２Ａと容器ケース体５３の吸気口５２とは、この吸気口５２が開口６２Ａの内側に位置するように接続されている。筒状枠６２の他端開口６２Ｂの径はその吸気口５２の径とほぼ同一に設定され、筒状枠６２の径は一端から他端にいくにしたがって直線的に漸減している。なお、筒状枠６２の他端開口６２Ｂの径は吸気口５２の径より小さくてもよい。
【００２１】
また、筒状枠６２の風路６１は前後方向に直線状に延びており、蓋体４０の接続パイプ４４の接続口４３と、容器ケース体５３の吸気口５２と、筒状枠６２と、容器ケース体５３の開口５１と、電動送風機３３の吸気開口３３Ａとが一直線上に配置されている。
【００２２】
また、筒状枠６２は、円形の枠体Ｗ１、Ｗ２と、枠体Ｗ１、Ｗ２を連結した複数の棒状の枠体Ｗ３と、各枠体Ｗ１〜Ｗ３によって形成された複数の開口６４に設けられたメッシュ状のフィルタＦ２とを有している（図６（ａ）参照）。
【００２３】
ここで、開口６４は風路６１の周壁の全周に亘って一様に設けられており、風路６１は枠体Ｗ３及びフィルタＦ２によって囲まれて形成されている。
【００２４】
メッシュ状のフィルタＦ２は、細い糸を網目状に編んで形成されたフィルタのことであり、図９に示すように、多数の糸１００が交互に折り重なるように編み込まれている。このフィルタＦ２は、複数の開口６４を一体に覆うように筒状に形成され、枠体Ｗ１、Ｗ２を連結した複数の枠体Ｗ３の内側面に設けられている（図６（ｂ）参照）。
【００２５】
そして、このフィルタＦ２のオープニングＯは、風路６１の上流側から風路６１の下流側に向かうにつれて、１１０μｍから３０μｍの範囲で次第に細かくなるように形成されており、フィルタＦ２のメッシュの粗さが徐々に細かくなっている。なお、ここでは、少なくとも枠体Ｗ１に接触している部分近傍のフィルタＦ２のオープニングＯは１１０μｍであり、枠体Ｗ２に接触している部分近傍のフィルタＦ２のオープニングＯは３０μｍである。
【００２６】
ここで、「上流側」とは、電動送風機３３が駆動した際に吸い込まれる空気が流入する側、つまり容器ケース体５３の吸気口５２側である。また、「下流側」とは、電動送風機３３が駆動した際に吸い込まれた空気が流出する側、つまり電動送風機３３の吸気開口３３Ａ側である。また、オープニングＯとは目開きのことであり、糸１００と糸１００との間の幅（図９参照）である。
【００２７】
このとき、フィルタＦ２には、摩擦抵抗を低減させる表面処理が施されている。この表面処理としては、例えばスパッタリング加工、フッ素加工、テフロン（登録商標）加工等がある。
【００２８】
そして、筒状枠６２の風路６１は、筒状枠６２の開口６４と容器ケース体５３の負圧室部５６と本体ケース３０の開口３４Ａを介して電動送風機３３の吸気開口３３Ａに連通している。また、筒状枠６２の風路６１の延びる方向と蓋体４０の接続パイプ４４の延びる方向とが一直線状となっており、筒状枠６２の風路６１の延びる方向に電動送風機３３の吸気開口３３Ａが向きあっている。
【００２９】
突当て部６３は、筒状枠６２の他端開口６２Ｂの上部から斜め下方に向かって延びた傾斜壁部６３Ａと、この傾斜壁部６３Ａの一端から湾曲して下方に延びると共に筒状枠６２の他端開口６２Ｂに対向する突当壁部６３Ｂと、傾斜壁部６３Ａおよび突当壁部６３Ｂの両側に形成された側壁部６３Ｃとを有している。また、突当て部６３は、筒状枠６２の他端開口６２Ｂに接合された開口６３Ｄを有すると共に下方に向いた開口６３Ｅを有している。
【００３０】
案内管７０は、上下方向に延びていて突当て部６３の開口６３Ｅと天板５８の接続穴５８Ａを介して集塵室部５５内とを連通している。
【００３１】
次に、上記のように構成される電気掃除機の作用について説明する。
【００３２】
まず、図４に示すように、集塵容器５０を本体ケース３０の載置部３５に載置して蓋体４０を閉じ、ホース２１を蓋体４０の接続口４３に接続する。そして、操作部２２Ａの図示しないスイッチを操作すると電動送風機３３が駆動される。この電動送風機３３の駆動により、本体ケース３０の開口３４Ａを介して容器ケース体５３の負圧室部５６が負圧となる。この負圧が筒状枠６２の開口６４、筒状枠６２の風路６１、容器ケース体５３の吸気口５２、蓋体４０の接続パイプ４４、ホース２１、延長管２３および吸込口体２４に作用し、吸込口体２４から空気と共に塵埃が吸引されていく。
【００３３】
この吸引された塵埃および空気は、延長管２３およびホース２１を介して蓋体４０の接続口４３へ吸引されていく。そして、接続口４３へ吸引された塵埃および空気は、集塵容器５０の吸気口５２を通って塵埃分離部６０の筒状枠６２の風路６１に吸引されていく。
【００３４】
筒状枠６２の風路６１に吸引された空気は、筒状枠６２の開口６４のフィルタＦ２を介して容器ケース体５３の負圧室部５６に吸引され、さらに容器ケース体５３の開口５１に装着したフィルタ８０を介して電動送風機３３の吸気開口３３Ａに吸引されていく。
【００３５】
また、空気の一部は突当て部６３および案内管７０を介して集塵室部５５へ導入され、この導入された空気はガイド壁Ｇによって集塵室部５５内で旋回流となり、開口５９を介して負圧室部５６内に流入する。
【００３６】
一方、筒状枠６２の風路６１に吸引された所定以上の質量のある塵埃は、その風路６１が前後方向に直線状に延びていることにより慣性力が作用して風路６１を直進し、突当て部６３の突当壁部６３Ｂに突き当たると共に案内管７０により集塵室部５５内へ導入されていく。そして、集塵室部５５内へ導入された塵埃は、同じく集塵室部５５内に流入した空気の旋回流により、圧縮されながら集積されることとなる。
【００３７】
さらに、筒状枠６２の風路６１に吸引された質量の軽い微細な塵埃は、風路６１を直進することなく開口６４を通過する空気に乗って流れていく。
【００３８】
このように、塵埃分離部６０により空気と塵埃とが分離されることになる。
【００３９】
ここで、風路６１の周壁に設けられた開口６４にはメッシュ状のフィルタＦ２が設けられているので、開口６４を通過する空気と共に塵埃が流れても、フィルタＦ２によって捕集することができる。そして、空気と塵埃とを効率良く分離することが可能となる。
【００４０】
また、集塵室部５５に導入されて生じた旋回流によって塵埃が再び舞い上がったとしても、開口５９に設けられたネットフィルタＦ１及び開口６４に設けられたフィルタＦ２により空気と塵埃とが分離され、分離効率を向上させることができる。
【００４１】
また、風路６１の上流側は風速が早くて比較的塵埃が直進しやすいので、フィルタＦ２のオープニングＯを大きくすることができる。ここでオープニングＯは、風路６１の上流側である吸気口５２側から、風路６１の下流側である吸気開口３３Ａ側に向かうにつれて次第に細かくなるように形成されているので、フィルタＦ２のオープニングＯは吸込口５２側が粗く、この風路６１の吸込口５２側での通気性が向上し、空気の吸込効率を向上することができる。
【００４２】
一方、風路６１の下流側である吸気開口３３Ａ側は、風速が低下して塵埃が直進しにくくなっている。しかし、フィルタＦ２のオープニングＯは風路６１の吸気開口３３Ａ側が細かく形成され、空気と共に流れた細塵を通過させることなく確実に捕集することができる。また、オープニングＯが細かいので抵抗が大きく、通気性を抑制することができて、細塵を流れにくくすることが可能となる。
【００４３】
さらに、このフィルタＦ２のオープニングＯが風路６１の上流側から下流側に向かうにつれて次第に細かくされているので、風路６１を通過する空気の流れが円滑となり、フィルタＦ２の目詰まりを生じにくくすることができる。
【００４４】
このように、この発明の電気掃除機では、掃除機本体２０の吸気口５２から電動送風機３３の吸気開口３３Ａに至る風路中に吸気口５２から空気と共に吸引される塵埃を分離する塵埃分離部６０と、この塵埃分離部６０によって分離された塵埃を集塵する集塵室部（集塵部）５５とを備えている。そして、塵埃分離部６０は、一端開口６２Ａが吸気口５２に連通すると共に他端開口６２Ｂが集塵室部５５に連通した筒状の風路（通路）６１と、風路６１の周壁に設けられた開口６４とを有している。さらに、この開口６４にはメッシュ状のフィルタＦ２が設けられている。
【００４５】
そして、この構成によって、塵埃分離部６０である筒状枠６２の風路６１内において、旋回流を発生させないで塵埃と空気とを分離することが可能となる。そのため、効率良く分離することができ、分離効率の向上を図ることができる。また、この構成により、風路６１内での風路損は小さなものとなって吸込効率の低下を防止することもできる。
【００４６】
また、塵埃と分離された空気が筒状枠６２の風路６１から開口６４を通過して容器ケース体５３の負圧室部５６に吸引されていく際、開口６４に設けられたメッシュ状のフィルタＦ２によって細塵を捕集することができ、空気と塵埃とを充分に分離することが可能となる。
【００４７】
さらに、風路６１の上流側から下流側に向かうにつれてフィルタＦ２のオープニングＯが細かくされているので、風路６１の上流側では充分な通気性を確保することができて吸込効率の低下を防止することができる。そして、風路６１の下流側では細塵を確実に捕集することができて、空気と塵埃とを効率良く分離することができると共に、充分に分離することが可能となっている。
【００４８】
そして、フィルタＦ２のオープニングＯの大きさが１１０μｍから３０μｍの範囲で形成されているので、最大のオープニングＯが１１０μｍとなり、風路６１内に吸い込まれた塵埃がフィルタＦ２に密着しない程度の十分な通気性を確保することができる。そして、最小のオープニングＯが３０μｍとなり、必要な通気性は確保しつつ、空気と共に流れてくる細塵を確実に捕集することができ、分離効率の向上を図ることが可能となる。
【００４９】
また、フィルタＦ２の表面には摩擦抵抗を低減させる表面処理が施されているので、塵埃がフィルタ２の表面に引っ掛かりにくくなり、目詰まりが早期に生じることが防止することができる。
【００５０】
特に、この表面処理がスパッタリング加工である場合では、フィルタＦ２の表面に均一に金属原子が付着し摩擦抵抗を非常に少なくすることができて、目詰まりをさらに防止することができる。
【００５１】
なお、このフィルタＦ２は枠体Ｗ３の内側面に設けられているので、枠体Ｗ３に塵埃が引っ掛かることが防止され、より目詰まりが生じにくくなっている。
【００５２】
以上、この発明に係る実施の形態の一つを図面により詳述してきたが、具体的な構成は上述の実施の形態に限らず、この発明の要旨を逸脱しない範囲の設計の変更等もこの発明に含まれる。
【００５３】
例えば、上述の実施の形態では、メッシュ状のフィルタＦ２のオープニングＯは、吸込口５２側から吸気開口３３Ａ側に向かうにつれて次第に細かくなるように形成されているが、図１０に示すように、オープニングＯが段階的に細かくなるようにしてもよい。
【００５４】
この場合では、例えば、まず枠体Ｗ１と枠体Ｗ２との間を中間枠体Ｗ４、Ｗ５によって区切り、枠体Ｗ１から中間枠体Ｗ４の間にオープニングＯが例えば１１０μｍのフィルタＦ２１を設け、中間枠体Ｗ４から中間枠体Ｗ５の間にオープニングＯが例えば７０μｍのフィルタＦ２２を設け、中間枠体Ｗ５から枠体Ｗ２の間にオープニングＯが例えば３０μｍのフィルタＦ２３を設ける。これにより、段階的にオープニングＯが細かくなるようにフィルタを構成することが容易になる。なお、ここでも枠体Ｗ３、Ｗ４、Ｗ５の内側面に各フィルタＦ２１〜Ｆ２３を設けることにより、塵埃が枠体Ｗ３〜Ｗ５に引っ掛かることを防止できる。
【００５５】
【発明の効果】
以上説明したように、この発明の電気掃除機によれば、空気と塵埃とを効率良く分離させて、分離効率を向上させることができる。
【図面の簡単な説明】
【図１】この発明に係る電機掃除機の外観を示した斜視図である。
【図２】図１に示す電気掃除機の掃除機本体を示した斜視図である。
【図３】図２に示す掃除機本体の一部を断面にした側面図である。
【図４】蓋体を開けた状態を示した掃除機本体の側面図である。
【図５】蓋体を開けると共に集塵容器を取り外した状態の掃除機本体を示した斜視図である。
【図６】（ａ）集塵容器の構成を示した縦断面図である。
（ｂ）図６（ａ）におけるＡ−Ａ断面図である。
【図７】集塵容器を示した斜視図である。
【図８】集塵容器の構成を示した平断面図である。
【図９】メッシュ状フィルタを模式的に拡大して示す模式図である。
【図１０】メッシュ状フィルタの他の例を示す集塵容器の縦断面図である。
【図１１】従来の電気掃除機を示す断面図である。
【符号の説明】
２０        掃除機本体
３３        電動送風機
３３Ａ      吸気開口
５２        吸気口
５５        集塵部（集塵室部）
６０        塵埃分離部
６１        通路（風路）
６４        開口
Ｆ２        フィルタ
【図１】
2004147964.tif 000003
【図２】
2004147964.tif 000004
【図３】
2004147964.tif 000005
【図４】
2004147964.tif 000006
【図５】
2004147964.tif 000007
【図６】
2004147964.tif 000008
【図７】
2004147964.tif 000009
【図８】
2004147964.tif 000010
【図９】
2004147964.tif 000011
【図１０】
2004147964.tif 000012
【図１１】
2004147964.tif 000013
【手続補正書】
【提出日】平成15年3月28日(2003.3.28)
【手続補正１】
【補正対象書類名】明細書
【補正対象項目名】特許請求の範囲
【補正方法】変更
【補正の内容】
【特許請求の範囲】
【請求項１】
掃除機本体の吸気口から電動送風機の吸気開口に至る風路中に設けられ前記吸気口から吸引される空気と塵埃とを分離する塵埃分離部と、この塵埃分離部によって分離された塵埃を集塵する集塵部とを備えた電気掃除機であって、
前記塵埃分離部は、一端開口が前記吸気口に連通すると共に他端開口が前記集塵部に連通した筒状の通路と、該通路の周壁に設けられて前記電動送風機の吸気開口に連通した開口と、該開口に取り付けられたメッシュ状のフィルタとを有し、
該フィルタのオープニングは前記通路の上流側から下流側に向かうにつれて細かくなるように形成されたことを特徴とする電気掃除機。
【請求項２】
請求項１に記載の電気掃除機において、前記フィルタのオープニングは、１１０μｍから３０μｍの範囲で形成されていることを特徴とする電気掃除機。
【請求項３】
掃除機本体の吸気口から電動送風機の吸気開口に至る風路中に設けられ前記吸気口から吸引される空気と塵埃とを分離する塵埃分離部と、この塵埃分離部によって分離された塵埃を集塵する集塵部とを備えた電気掃除機であって、
前記塵埃分離部は、一端開口が前記吸気口に連通すると共に他端開口が前記集塵部に連通した筒状の通路と、該通路の周壁に設けられて前記電動送風機の吸気開口に連通した開口と、該開口に取り付けられたメッシュ状のフィルタとを有し、
該フィルタには摩擦抵抗を低減させる表面処理が施されたことを特徴とする電気掃除機。
【手続補正２】
【補正対象書類名】明細書
【補正対象項目名】０００８
【補正方法】変更
【補正の内容】
【０００８】
【課題を解決するための手段】
上記目的を達成するために、この発明に係る電気掃除機は、掃除機本体の吸気口から電動送風機の吸気開口に至る風路中に設けられ吸気口から吸引される空気と塵埃とを分離する塵埃分離部と、この塵埃分離部によって分離された塵埃を集塵する集塵部とを備え、塵埃分離部は、一端開口が吸気口に連通すると共に他端開口が集塵部に連通した筒状の通路と、この通路の周壁に設けられて電動送風機の吸気開口に連通した開口と、この開口に取り付けられたメッシュ状のフィルタとを有し、このフィルタのオープニングは通路の上流側から下流側に向かうにつれて細かくなるように形成されたことを特徴としている。




【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
掃除機本体の吸気口から電動送風機の吸込開口に至る風路中に形成された負圧室部内に設けられ前記吸気口から吸引される空気と塵埃とを分離する塵埃分離部と、前記負圧室部と区画されこの塵埃分離部によって分離された塵埃を案内管を介して捕集する集塵部とを備えた電気掃除機であって、
前記塵埃分離部は、前記吸気口よりも大きく形成された一端開口が前記吸気口に対向して連通すると共に他端開口が前記集塵部に連通した筒状の通路と、該通路の周壁に設けられて前記電動送風機の吸気開口に連通した周面開口と、該周面開口に取り付けられたメッシュ状のフィルタとを有し、
前記電動送風機の吸気開口は、前記通路を間において前記吸気口と反対側に配置され、
前記通路内の空気を前記フィルタを介して前記電動送風機の吸気開口から吸い込むと共に、前記通路内の塵埃を前記通路の他端開口から案内管を介して集塵部に導入して集塵し、
前記フィルタのオープニングは前記通路の上流側から下流側に向かうにつれて細かくなるように形成されたことを特徴とする電気掃除機。
【請求項２】
掃除機本体の吸気口から電動送風機の吸込開口に至る風路中に形成された負圧室部内に設けられ前記吸気口から吸引される空気と塵埃とを分離する塵埃分離部と、前記負圧室部と区画されこの塵埃分離部によって分離された塵埃を捕集する集塵部とを備えた電気掃除機であって、
前記塵埃分離部は、前記吸気口よりも大きく形成された一端開口が前記吸気口に対向して連通すると共に他端開口が前記集塵部に連通した筒状の通路と、該通路の周壁に設けられて前記電動送風機の吸気開口に連通した周面開口と、該周面開口に取り付けられたメッシュ状のフィルタと、前記他端開口に対向する突当壁部とを備え、
前記電動送風機の吸気開口は、前記通路を間において前記吸気口と反対側に配置され、
前記通路内の空気を前記フィルタを介して前記電動送風機の吸気開口から吸い込むと共に、前記通路内の塵埃を前記通路の他端開口から前記突当壁部に当てて集塵部に導入して集塵し、
前記フィルタのオープニングは前記通路の上流側から下流側に向かうにつれて細かくなるように形成されたことを特徴とする電気掃除機。
【請求項３】
掃除機本体の吸気口から電動送風機の吸込開口に至る風路中に設けられ前記吸気口から吸引される空気と塵埃とを分離する塵埃分離部と、この塵埃分離部の下方に設けられこの塵埃分離部によって分離された塵埃を捕集する集塵部とを備えた電気掃除機であって、
前記塵埃分離部は、前記吸気口よりも大きく形成された一端開口が前記吸気口に対向して連通すると共に他端開口が前記集塵部に連通した筒状の通路と、該通路の周壁に設けられて前記電動送風機の吸気開口に連通した周面開口と、該周面開口に取り付けられたメッシュ状のフィルタとを有し、
前記電動送風機の吸気開口は、前記通路を間において前記吸気口と反対側に配置され、
前記通路内の空気を前記フィルタを介して前記電動送風機の吸気開口から吸い込むと共に、前記通路内の塵埃を前記通路の他端開口から集塵部に導入して集塵し、
前記フィルタのオープニングは前記通路の上流側から下流側に向かうにつれて細かくなるように形成されたことを特徴とする電気掃除機。
【請求項４】
掃除機本体の吸気口から電動送風機の吸込開口に至る風路中に形成された負圧室部内に設けられ前記吸気口から吸引される空気と塵埃とを分離する塵埃分離部と、前記負圧室部と区画されこの塵埃分離部によって分離された塵埃を案内管を介して捕集する集塵部とを備えた電気掃除機であって、
前記塵埃分離部は、前記吸気口よりも大きく形成された一端開口が前記吸気口に対向し他端開口が前記集塵部に連通した筒状の通路と、該通路の周壁に設けられて前記電動送風機の吸気開口に連通した周面開口と、該周面開口に取り付けられたメッシュ状のフィルタとを有し、
前記通路と前記電動送風機との間に開口を形成し、この開口は、前記通路を間において前記吸気口と反対側に配置され、
前記通路内の空気を前記フィルタ及び前記開口を介して前記電動送風機の吸気開口から吸い込むと共に、前記通路内の塵埃を前記通路の他端開口から案内管を介して集塵部に導入して集塵し、
前記フィルタのオープニングは前記通路の上流側から下流側に向かうにつれて細かくなるように形成されたことを特徴とする電気掃除機。
【請求項５】
掃除機本体の吸気口から電動送風機の吸込開口に至る風路中に形成された負圧室部内に設けられ前記吸気口から吸引される空気と塵埃とを分離する塵埃分離部と、前記負圧室部と区画されこの塵埃分離部によって分離された塵埃を捕集する集塵部とを備えた電気掃除機であって、
前記塵埃分離部は、前記吸気口よりも大きく形成された一端開口が前記吸気口に対向し他端開口が前記集塵部に連通した筒状の通路と、該通路の周壁に設けられて前記電動送風機の吸気開口に連通した周面開口と、該周面開口に取り付けられたメッシュ状のフィルタと、前記他端開口に対向する突当壁部とを備え、
前記通路と前記電動送風機との間に開口を形成し、この開口は、前記通路を間において前記吸気口と反対側に配置され、
前記通路内の空気を前記フィルタ及び前記開口を介して前記電動送風機の吸気開口から吸い込むと共に、前記通路内の塵埃を前記通路の他端開口から前記突当壁部に当てて集塵部に導入して集塵し、
前記フィルタのオープニングは前記通路の上流側から下流側に向かうにつれて細かくなるように形成されたことを特徴とする電気掃除機。
【請求項６】
掃除機本体の吸気口から電動送風機の吸込開口に至る風路中に設けられ前記吸気口から吸引される空気と塵埃とを分離する塵埃分離部と、この塵埃分離部の下方に設けられこの塵埃分離部によって分離された塵埃を捕集する集塵部とを備えた電気掃除機であって、
前記塵埃分離部は、前記吸気口よりも大きく形成された一端開口が前記吸気口に対向し他端開口が前記集塵部に連通した筒状の通路と、該通路の周壁に設けられて前記電動送風機の吸気開口に連通した周面開口と、該周面開口に取り付けられたメッシュ状のフィルタとを有し、
前記通路と前記電動送風機との間に開口を形成し、この開口は、前記通路を間において前記吸気口と反対側に配置され、
前記通路内の空気を前記フィルタ及び前記開口を介して前記電動送風機の吸気開口から吸い込むと共に、前記通路内の塵埃を前記通路の他端開口から集塵部に導入して集塵し、
前記フィルタのオープニングは前記通路の上流側から下流側に向かうにつれて細かくなるように形成されたことを特徴とする電気掃除機。
【請求項７】
請求項１ないし請求項６のいずれか一つに記載の電気掃除機において、前記筒状の通路は一端側から他端側にいくにしたがって径が漸減することを特徴とする電気掃除機。
【請求項８】
請求項１ないし請求項７のいずれか一つに記載の電気掃除機において、前記フィルタのオープニングは、１１０μｍから３０μｍの範囲で形成されていることを特徴とする電気掃除機。
【請求項９】
請求項１ないし請求項８のいずれか一つに記載の電気掃除機において、前記フィルタには摩擦抵抗を低減させる表面処理が施されたことを特徴とする電気掃除機。
【手続補正２】
【補正対象書類名】明細書
【補正対象項目名】０００８
【補正方法】変更
【補正の内容】
【０００８】
【課題を解決するための手段】
上記目的を達成するために、この発明の電気掃除機は、掃除機本体の吸気口から電動送風機の吸込開口に至る風路中に形成された負圧室部内に設けられ吸気口から吸引される空気と塵埃とを分離する塵埃分離部と、負圧室部と区画されこの塵埃分離部によって分離された塵埃を案内管を介して捕集する集塵部とを備え、塵埃分離部は、吸気口よりも大きく形成された一端開口が吸気口に対向して連通すると共に他端開口が集塵部に連通した筒状の通路と、この通路の周壁に設けられて電動送風機の吸気開口に連通した周面開口と、該周面開口に取り付けられたメッシュ状のフィルタとを有し、電動送風機の吸気開口は、通路を間において吸気口と反対側に配置され、通路内の空気をフィルタを介して電動送風機の吸気開口から吸い込むと共に、通路内の塵埃を通路の他端開口から案内管を介して集塵部に導入して集塵し、フィルタのオープニングは通路の上流側から下流側に向かうにつれて細かくなるように形成されたことを特徴としている。


【手続補正３】
【補正対象書類名】明細書
【補正対象項目名】００１７
【補正方法】変更
【補正の内容】
【００１７】
容器ケース体５３は、下部に形成した集塵室部（集塵部）５５と、この集塵室部５５の上に形成した負圧室部５６と、この負圧室部５６内に設けられた塵埃分離部６０と、この塵埃分離部６０で分離された塵埃を集塵室部５５へ案内する案内管７０とを有している。